(57)【要約】【課題】操作がより容易な漏洩検知モジュールおよび漏洩検知方法を提供すること。【解決手段】本発明は、漏洩検知器（３）とユーザ（２）が操作することができるプローブ（４）とを備えている、トレーサガスによる、被検査物（Ａ）の密封性を検査するための漏洩検知モジュール（１）であって、前記漏洩検知モジュール（１）を制御する前記ユーザ（２）の音声コマンドを認識するようになっている音声認識装置（５）を含むヒューマンマシンインタフェース（Ｉ）をさらに備えていることを特徴とする漏洩検知モジュール（１）に関する。本発明は、トレーサガスによる、被検査物の密封性を検査する方法にも関する。【選択図】図１
2019200201.tif 000002
【特許請求の範囲】
【請求項１】
漏洩検知器（３）とユーザ（２）が操作することができるプローブ（４、２５）とを備えており、トレーサガスによる被検査物（Ａ）の密封性を検査するための漏洩検知モジュール（１）であって、前記漏洩検知モジュール（１）を制御する前記ユーザ（２）の音声コマンドを認識するようになっている音声認識装置（５）を含むヒューマンマシンインタフェース（Ｉ）をさらに備えていることを特徴とする漏洩検知モジュール（１）。
【請求項２】
さらに視覚装置（１６）を備えている請求項１に記載の漏洩検知モジュール（１）であって、前記視覚装置（１６）は、
−  前記漏洩検知器（３）と通信するようになっている処理・表示ユニット（１７）と、
−  前記視覚装置（１６）を前記ユーザ（２）の頭部に保持するようになっている保持手段（１８）と、
−  前記ユーザ（２）の視野内に配置するために前記保持手段（１８）に固定される観察面（１９）とを備えており、前記処理・表示ユニット（１７）は、漏洩検知に関する少なくとも１つの情報項目（２１）を、前記観察面（１９）に拡張現実で表示するようになっており、
−  前記音声認識装置（５）は、前記視覚装置（１６）を制御する前記ユーザ（２）の音声コマンドを認識するようになっていることを特徴とする。
【請求項３】
前記視覚装置（１６）は、前記ユーザ（２）の視野内の画像を取り込むようになっているビデオカメラまたはスチルカメラなどの少なくとも１つの画像取込装置（２２）を備えていることを特徴とする請求項２に記載の漏洩検知モジュール（１）。
【請求項４】
前記音声認識装置（５）は、漏洩検知に関する前記少なくとも１つの情報項目を拡張現実で表示する前記観察面（１９）の画像取込を、前記画像取込装置（２２）に命じる前記ユーザ（２）の音声コマンドを認識するようになっていることを特徴とする請求項３に記載の漏洩検知モジュール（１）。
【請求項５】
前記音声認識装置（５）は、前記漏洩検知器（３）を制御する前記ユーザ（２）の音声コマンドを認識するようになっていることを特徴とする請求項１から４のいずれか１項に記載の漏洩検知モジュール（１）。
【請求項６】
前記音声認識装置（５）は、前記漏洩検知器（３）によって前記被検査物（Ａ）からの漏洩量を表す前記トレーサガス濃度の測定の開始、および／または背景ノイズの再初期化、および／または前記漏洩検知器（３）の較正の開始を命じる前記ユーザ（２）の音声コマンドを認識するようになっていることを特徴とする請求項５に記載の漏洩検知モジュール（１）。
【請求項７】
前記プローブ（４）は、前記漏洩検知器（３）に連結された探知プローブであることを特徴とする請求項１から６のいずれか１項に記載の漏洩検知モジュール（１）。
【請求項８】
前記プローブ（２５）は、トレーサガス源（２６）に連結するようになっている吹付ブロワーであることを特徴とする請求項１から６のいずれか１項に記載の漏洩検知モジュール（１）。
【請求項９】
トレーサガスによる、かつ、請求項１から８のいずれか一項に記載の漏洩検知モジュール（１）を用いて、被検査物（Ａ）の密封性を検査する方法であって、前記ユーザ（２）が音声で前記漏洩検知モジュール（１）を制御することを特徴とする密封性を検査する方法。
【請求項１０】
前記ユーザ（２）が音声で前記漏洩検知モジュール（１）の前記漏洩検知器（３）を制御することを特徴とする請求項９に記載の被検査物（Ａ）の密封性を検査する方法。
【請求項１１】
漏洩検知に関する情報項目（２１）を、ユーザ（２）の頭部に装着された視覚装置（１６）によって前記ユーザ（２）の視野に配置された観察面（１９）に拡張現実で表示することを特徴とする請求項９または１０に記載の被検査物（Ａ）の密封性を検査する方法。
【請求項１２】
前記ユーザ（２）は、漏洩検知に関する少なくとも１つの情報項目（２１）を、拡張現実で表示する前記観察面（１９）の画像の取込を、前記画像取込装置に音声で命じることができることを特徴とする請求項１１に記載の被検査物（Ａ）の密封性を検査する方法。
【請求項１３】
前記情報項目（２１）には、前記漏洩検知器（３）によって測定された前記トレーサガス濃度を表す少なくとも１つの信号が含まれていることを特徴とする請求項１１または１２に記載の被検査物（Ａ）の密封性を検査する方法。
【発明の詳細な説明】
【技術分野】
【０００１】
本発明は、トレーサガスによる被検査物の密封性を検査する漏洩検知モジュールに関する。本発明はまた、トレーサガスによる被検査物の密封性を検査する方法に関する。
【背景技術】
【０００２】
被検査物の密封性を検査するための公知の方法は、トレーサガスの「探知」検査または「吹付け」検査を行うことである。これらの方法は、被検査物の漏洩を通じてトレーサガスの検知を行うことである。
【０００３】
探知モードでは、探知プローブに連結された漏洩検知器が、一般に、加圧されたトレーサガスで満たされた被検査物の周りのトレーサガスの有無を検出する。吹付けモードでは、スプレーガンを使用して、被検査物にトレーサガスを吹付け、被検査物の内側を漏洩検知器に連結する。漏洩は、探知プローブまたはスプレーガンを被検査物の周り、特にシールの周りのような密封性が弱そうなゾーンの周りに動かすことによって行う。測定したトレーサガス濃度信号の増減により、プローブが配置されている場所での漏洩の有無が明らかになる。
【発明の概要】
【発明が解決しようとする課題】
【０００４】
ただし、ユーザが測定を行うことは、必ずしも容易ではない。
【０００５】
実際、スプレーガンまたは探知プローブを操作することに加えて、ユーザは、ツール、検査ゾーンの位置を特定するトーチ、または漏洩検知器を遠隔制御するためのリモートコントローラなどのアクセサリを操作することも必要となる。さらに、ユーザは、不便な姿勢のときに、手を使って自分を支えることが必要になる場合がある。ユーザにとって、漏洩を探索するために、これらの要素をすべて同時に操作することが容易でないことは、明らかである。
【０００６】
したがって、本発明の１つの課題は、前述の欠点を少なくとも部分的に解決した漏洩検知モジュールおよび漏洩検知方法を提案することである。
【課題を解決するための手段】
【０００７】
この目的のために、本発明は、漏洩検知器とユーザが操作することができるプローブとを備えており、トレーサガスによる被検査物の密封性を検査するための漏洩検知モジュールであって、前記漏洩検知モジュールを制御する前記ユーザの音声コマンドを認識するようになっている音声認識装置を含むヒューマンマシンインタフェースをさらに備えていることを特徴としている。前記ユーザは、リモートコントローラ等を片手で固定する必要もなく、音声制御により、遠隔でも前記漏洩検知モジュールを簡単に制御することができる。そのため、前記プローブまたはアクセサリの操作に手を利用することができ、漏洩の探索が容易になる。
【０００８】
−  一実施形態によれば、前記漏洩検知モジュールは、さらに視覚装置を備えており、前記視覚装置は、
−  前記漏洩検知器と通信するようになっている処理・表示ユニットと、
−  前記視覚装置を前記ユーザの頭部に保持するようになっている保持手段と、
−  前記ユーザの視野内に配置するために前記保持手段に固定される観察面とを備えており、前記処理・表示ユニットは、漏洩検知に関する少なくとも１つの情報項目を、前記観察面に拡張現実で表示するようになっており、
−  前記音声認識装置は、前記視覚装置を制御する前記ユーザの音声コマンドを認識するようになっている。
【０００９】
前記視覚装置は、例えば、前記ユーザの視野内の画像を取り込むようになっているビデオカメラまたはスチルカメラなどの少なくとも１つの画像取込装置を備えている。
【００１０】
前記音声認識装置は、前記画像取込装置による画像取込を命じる前記ユーザの音声コマンドを認識するようになっていてもよい。取込可能な前記画像には、漏洩検知に関する少なくとも１つの情報項目を、拡張現実で表示する前記観察面が含まれている。
【００１１】
前記情報項目には、例えば、前記漏洩検知器によって測定された前記トレーサガス濃度を表す少なくとも１つの信号が含まれている。
【００１２】
したがって、１枚以上の検査写真の取込を音声で制御することで、一方では、あらかじめ定められた検査ゾーンを実際に検査していることを示し、他方では、関連するトレーサガス濃度の測定値を示すことができる。したがって、被検査物に関連する密封性の証明書を顧客または品質保証部門に引き渡すことができ、この証明書は、検査ゾーンをユーザが実際に検査し、密封性の程度があらかじめ定められた不合格の閾値を下回っていることを証明することができる。
【００１３】
前記音声認識装置は、前記漏洩検知器を制御する前記ユーザの音声コマンドを認識するようになっていてもよい。
【００１４】
前記音声認識装置は、たとえば、前記漏洩検知器によって前記被検査物からの漏洩量を表す前記トレーサガス濃度の測定の開始、および／または背景ノイズの再初期化、および／または前記漏洩検知器の較正の開始を命じる前記ユーザの音声コマンドを認識するようになっている。
【００１５】
前記プローブは、前記漏洩検知器に連結された探知プローブであってもよい。
【００１６】
前記プローブは、トレーサガス源に連結するようになっている吹付ブロワーであってもよい。
【００１７】
本発明は、トレーサガスによる、かつ、上述のような漏洩検知モジュールを用いて、被検査物の密封性を検査する方法も含んでおり、前記ユーザが音声で前記漏洩検知モジュールを制御することを特徴としている。
【００１８】
例えば、前記ユーザが音声で前記漏洩検知モジュールの前記漏洩検知器を制御する。
【００１９】
一実施形態によれば、漏洩検知に関する情報項目は、ユーザの頭部に装着された視覚装置によって前記ユーザの視野内に配置された観察面に拡張現実で表示される。前記ユーザは、例えば、漏洩検知に関する少なくとも１つの情報項目を、拡張現実で表示する前記観察面の画像の取込を、前記画像取込装置に音声で命じることができる。
【図面の簡単な説明】
【００２０】
【図１】視覚装置を装着し、漏洩検知器に連結された探知プローブを操作しているユーザを示す模式図である。
【図２】漏洩検知器の一例を示す模式図である。
【図３】視覚装置の一例を示す模式図である。
【図４】漏洩の探索中に図３の視覚装置を装着しているユーザが見ることができる視野の一例を示している模式図である。
【図５】トレーサガスを吹付けることによって被検査物の密封性を検査する漏洩検知モジュールを使用するユーザを示している模式図である。
【図６】トレーサガスを吹付けることによって密封性を検査している間に、ユーザが見ることができるものの一例を示している模式図である。
【発明を実施するための形態】
【００２１】
本発明の他の特徴および利点は、添付の図面に示している、非限定的な実施例に関する以下の説明から、明らかになると思う。
【００２２】
添付の図において、同じ構成要素には、同じ符号を付してある。なお、以下の実施形態は、例示である。以下の説明では、１つ以上の実施形態を挙げているが、これらは、必ずしも各例示が同じ実施形態に関連すること、または、その特徴が単一の実施形態にのみに適用されることを意味するものではない。異なる実施形態の単一の特徴を組み合わせたり、交換したりして、他の実施形態を作り出すことができる。
【００２３】
「被検査物」とは、密封性を検査する対象または装置を指している。
【００２４】
図１は、ユーザ２が使用するトレーサガスによる被検査物の密封性を検査するための漏洩検知モジュール１の一例を示している。
【００２５】
漏洩検知モジュール１は、漏洩検知器３と、ユーザ２が操作することができるプローブ４と、漏洩検知モジュール１を制御するユーザ２の音声コマンドを認識するようになっている音声認識装置５を含むヒューマンマシンインターフェースＩ（図３）とを備えている。
【００２６】
漏洩検知器３は、例えば、図２に示すように、検知入口部６と、吸気装置７と、ガス検知器８とを備えている。
【００２７】
吸気装置７は、例えば、少なくとも１台のダイアフラムポンプなどの一次真空ポンプ９と、少なくとも１台のターボ分子真空ポンプ１０とを備えている。
【００２８】
ガス検知器８は、ターボ分子真空ポンプ１０の入口に連結されている。ガス検知器８は、例えば質量分析計を備えている。ガス検知器８は、特に、検知入口部６に取り込まれたガス中のトレーサガスの濃度を示すことができる。
【００２９】
ターボ分子真空ポンプ１０の出口は、第１の遮断弁１１を介して、一次真空ポンプ９の入口に連結されている。
【００３０】
漏洩検知器３の検知入口部６は、例えば、少なくとも１台のサンプリングバルブ１２ａ、１２ｂを介してターボ分子真空ポンプ１０の中間段に連結されている。吸気装置７は、例えば、少なくとも２台のサンプリングバルブ１２ａ、１２ｂを備えており、各サンプリングバルブ１２ａ、１２ｂは、サンプリング流量を漏洩量の程度に適合させることができるように、ターボ分子真空ポンプ１０の別々の中間段に連結されている。サンプリングバルブ１２ａ、１２ｂは、検知入口部６と第２の遮断弁１３との間に配置されている真空ラインからの分岐管に設置されている。第２の遮断弁１３は、第１の遮断弁１１と一次真空ポンプ９の入口との間の真空ラインに設置されている。
【００３１】
プローブ４は、ユーザ２が操作することができるように、把持手段を備えている（図１）。
【００３２】
図１に示す第１の実施形態では、プローブ４は、探知プローブである。
【００３３】
探知プローブは、トレーサガスで満たされた被検査物の周りのガスを吸引するように、可撓性の導管１４によって、漏洩検知器３の検知入口部６に連結されている。吸気装置７によって吸引されたガスを、ガス検知器８によって分析し、ガス検知器８は、トレーサガス濃度を、漏洩検知器３の制御ユニット１５に送信している（図２に表示）。最大トレーサガス閾値を超過した場合は、漏洩が起きていることを示している。ヘリウムまたは水素は、分子サイズが小さく、移動速度が速いため、他のガスよりも小さい漏洩箇所を容易に通過するので、これらのガスは、一般にトレーサガスとして使用されている。
【００３４】
音声認識装置５（または自動音声認識装置）は、音響信号を電気信号に変換することができるマイクロフォンまたは電気音響変換器と、マイクロフォンによって取り込まれた人間の音声の分析を可能にし、それをコンピューターまたはコントローラによって使用可能なテキストなどのコンテンツの形に転写するコンピュータープログラムとを備えている。
【００３５】
トレーニング後には、音声認識装置５は、例えば、音声認識をユーザ２の言語、アクセントまたはイントネーションに適合させることができるように、ユーザの音声を識別することができるようになっている。
【００３６】
音声認識装置５は、漏洩検知モジュール１の漏洩検知器３を制御するユーザ２の音声コマンドを認識することができるようになっている。
【００３７】
例えば、音声認識装置５は、漏洩検知器３による被検査物の漏洩量を表すトレーサガス濃度の測定の開始、および／または背景ノイズの再初期化、および／または漏洩検知器３の較正の開始を命じるユーザ２の音声コマンドを認識するようになっていてもよい。
【００３８】
背景ノイズの再初期化により、トレーサガス濃度の測定にゼロ値を割り当てることができる。これにより、背景ノイズレベルが高い場合でも、トレーサガス濃度の低下を待たずに、かつ雰囲気を換気することなく、漏洩の有無をより容易に検出することができる。
【００３９】
背景ノイズの再初期化を命じるためには、たとえば、「背景ノイズを再初期化」、測定の開始を命じるためには、たとえば、「測定を開始」のように、音声コマンドは、非常に単純にすることができる。
【００４０】
したがって、漏洩検知器３を音声制御することにより、ユーザ２は、リモートコントローラを手にもって運ぶ必要がなくなる。
【００４１】
音声認識装置５は、漏洩検知器３によって測定された漏洩量を表す音量レベルの調整など、漏洩検知器３の他のパラメータを制御するユーザ２の音声コマンドを認識するようになっていてもよい。実際、漏洩検知器３は、漏洩量を表す測定信号が上昇するにつれて出力周波数が上昇するポケットベルまたは拡声器などの音量放出装置を備えることができる。音声制御によって音量放出装置の音量レベルを調整することにより、ユーザ２は、動き回らずに音量放出装置の音量レベルを上げ下げすることができる。
【００４２】
また、音声認識装置５は、警報を発することができる漏洩検知器３の不合格の閾値のパラメータの設定を制御するユーザ２の音声コマンドを認識するようになっていてもよい。
【００４３】
音声認識装置５のコンピュータープログラムは、例えば、漏洩検知器３の制御ユニット１５によって、またはユーザ２またはプローブ４が携帯するコントローラまたはプロセッサによって実行してもよい。音声認識装置５のマイクロフォンは、漏洩検知器３に配置してもよく、またはユーザ２の音声をより良く取り込むために、ユーザ２またはプローブ４が携帯してもよい。
【００４４】
音声認識装置５は、電気信号または音響信号から変換された電気信号のコマンドまたは転写された内容を、制御ユニット１５に送信するために、制御ユニット１５の補完的な通信手段と無線で通信するようになっている通信手段、例えば、ＷＩＦＩまたはブルートゥース（登録商標）などの無線をさらに備えている。
【００４５】
音声認識装置５は、漏洩検知モジュール１の視覚装置１６を制御するユーザ２の音声コマンドを認識するようになっていてもよい（図１）。
【００４６】
視覚装置１６は、ユーザ２の頭部に装着されている。
【００４７】
図３でより良く分かるように、視覚装置１６は、処理・表示ユニット１７、保持手段１８、および観察面１９を備えている。
【００４８】
保持手段１８は、視覚装置１６をユーザ２の頭部に保持するようになっている。保持手段１８は、例えば、眼鏡フレームのように、ユーザの鼻に乗せて、自分の耳で支えるようになっているフレームを備えており、または頭部の周りで調節可能なバンドまたはヘルメットまたはヘッドバンドを形成するサポートを備えている。
【００４９】
観察面１９は、ユーザ２の視野内に配置できるように、保持手段１８に固定されている。観察面１９は、透明なガラス面またはプラスチック面で形成されており、ユーザ２は、それを通して見ることができるようになっている。
【００５０】
処理・表示ユニット１７は、特に漏洩検知器３の制御ユニット１５と通信するようになっている１つ以上のコントローラまたはプロセッサを備えている（図２および図３）。処理・表示ユニット１７は、制御ユニット１５の補完的な通信手段と無線で通信するようになっている通信手段、例えば、ＷＩＦＩまたはブルートゥース（登録商標）などの無線を備えている。したがって、処理・表示ユニット１７は、漏洩検知に関する情報を送受信することができる。処理・表示ユニット１７は、例えば、保持手段１８によって、例えば、保持手段１８の側片によって保持されている。
【００５１】
さらに、処理・表示ユニット１７は、漏洩検知に関する少なくとも１つの情報項目２１を、観察面１９上に拡張現実で表示するようになっている。拡張現実により、ユーザは、現実の世界に重ねられた漏洩検知に関する情報項目２１を見ることができる。
【００５２】
情報項目２１は、例えば、漏洩検知器３が測定したトレーサガス濃度を表す少なくとも１つの信号を含んでいる（図４）。したがって、トレーサガス濃度は、ユーザ２がどこを見ているかにかかわらず、ユーザ２の視野内に表示されている。すなわち、たとえユーザが、漏洩検知器３の画面から頭をそらしていても、表示される情報項目２１は、ユーザ２が見ている場所に移動するようになる。
【００５３】
信号は、ユーザ２の希望に応じて、様々な方法で表示することができる。信号は、例えば数値（図４）、棒グラフ（強度棒グラフ）またはグラフによって表示することができる。
【００５４】
表示された情報項目２１は、例えばカラーコードを用いて、信号が最大トレーサガス濃度の閾値を超えているかどうかを示してもよい。このように、トレーサガス濃度があらかじめ定められた不合格の閾値を超えると、信号は、色を変えることができる。たとえば、測定値がしきい値を下回ると、緑色で表示され、測定値がしきい値を超えると、赤色で表示される。
【００５５】
情報項目２１は、待機状態または進行中の測定状態、故障、行うべき保守、または使用推奨等の漏洩検知器３の操作状態を表示する信号を含むことができる。漏洩検知器３の操作状態における情報項目２１によって、漏洩検知器３を直接見ることができないユーザが、実際に測定を実行して、例えば、測定信号が低いまたはゼロであることにより、漏洩がないと結論付けることができる。
【００５６】
一実施形態によれば、視覚装置１６は、ユーザ２の視野内の画像を取り込むようになっているビデオカメラまたはスチルカメラなどの少なくとも１つの画像取込装置２２を備えている（図３）。
【００５７】
音声認識装置５は、漏洩検知に関する少なくとも１つの情報項目２１を、拡張現実で表示する観察面１９の画像の取込を、画像取込装置２２に命じるユーザ２の音声コマンドを認識するようになっていてもよい。（図３および図４）。
【００５８】
音声コマンドは、例えば「写真を撮る」などの非常に単純なものであり、写真を撮り、画像取込装置２２に画像を保存することを実行させることができる。
【００５９】
例えば、音声認識装置５のコンピュータープログラムを処理・表示ユニット１７が実行してもよい。音声認識装置５のマイクロフォンは、保持手段１８が保持してもよい。
【００６０】
したがって、音声で検査のために１枚以上の写真の撮影を命じることができ、一方では、あらかじめ定められた検査ゾーンを実際に検査していることを示し、他方では、関連するトレーサガス濃度の測定値を示すことができる。したがって、被検査物Ａに関連する密封性の証明書を、顧客または品質保証部門に引き渡すことができる。この証明書は、検査ゾーンをユーザ２が実際に検査し、密封性の程度があらかじめ定められた不合格の閾値を下回っていることを証明している。
【００６１】
次に、漏洩検知モジュール１の操作例について、およびトレーサガスによる被検査物Ａの密封性を検査するための関連方法について説明する（図１および図４）。
【００６２】
まず、被検査物Ａは、トレーサガスで加圧されている。
【００６３】
ユーザ２は、漏洩検知モジュール１に対して音声認識によって自分自身を識別させることができる。
【００６４】
次に、ユーザ２は、プローブ４の先端を検査ゾーン上で動かし、準備ができたら、例えば漏洩検知器３を制御する音声コマンドを命じることで、トレーサガス濃度の測定および／または背景ノイズの再初期化を開始することができる。
【００６５】
漏洩検知器３に連結されたプローブ４は、検査ゾーン内の被検査物Ａの周りのガスを吸引する。このようにして吸引されたガスは、漏洩を示すトレーサガスを含む恐れがあるので、ガス分析器８によって分析し、ガス分析器８は、トレーサガス濃度の測定値を、漏洩検知器３の制御ユニット１５に提供する。
【００６６】
ユーザ２は、自分の視野内で観察面１９を見るために、自分の頭部に視覚装置１６を配置することができる。
【００６７】
次に、制御ユニット１５は、処理したか否かに拘わらず、トレーサガス濃度の測定値を処理・表示ユニット１７に送信する。処理・表示ユニット１７は、トレーサガス濃度の測定値などの漏洩検知に関する情報項目２１を、拡張現実で観察面１９に数値の形で表示する（図４）。
【００６８】
したがって、トレーサガス濃度の測定値を、ユーザ２の視野内にリアルタイムで表示することができる。これにより、ユーザ２は、検査ゾーンから視線をそらす必要もなく、かつ遠隔画面を持つ必要もなく、測定に専念することができる。
【００６９】
測定したトレーサガス濃度値、およびユーザ２が行う関連する一連の測定操作を、記録することができる。
【００７０】
ユーザ２は、画像取込装置２２による画像、特に、漏洩検知に関する少なくとも１つの情報項目２１を拡張現実で表示する観察面１９の画像を取り込むために、音声コマンドを命じることができる。
【００７１】
したがって、被検査物Ａに対してユーザ２が行う一連の測定操作を撮影することで、被検査物Ａの１枚以上の検査写真を提供することができる。これらの結果は、被検査物Ａのシリアル番号と関連付けることができ、これは生産面において特に有用である。これにより、すべての結果を一元管理することが可能になり、かつユーザ２は、後で、行った検査に立ち戻ることができる。
【００７２】
図５および図６は、吹付けることで、被検査物の密封性を検査することについての実施形態を示している。
【００７３】
この実施形態は、プローブ２５が、トレーサガス源２６に連結された吹付ブロワーであって、被検査物Ａの周りにトレーサガスを吹付けるという事実により、前の実施形態とは異なっている。被検査物Ａは、漏洩検知器３の検知入口部６に連結され、漏洩検知器３を介して真空が生成される（図２および図５）。検査中、ユーザ２は、プローブ２５を使用して、被検査物Ａの周りにトレーサガスを吹き付ける（図５および図６）。
【００７４】
前と同様に、準備ができたら、例えばトレーサガス濃度の測定を開始し、および／または背景ノイズの再初期化をするために、ユーザは、音声で漏洩検知器３に命じることができる。
【００７５】
ガス分析器８は、漏洩検知器３の吸気装置７によって吸引された漏洩があることを示すトレーサガスを含む恐れのあるガスを分析し、トレーサガス濃度測定値を漏洩検知器３の制御ユニット１５に提供する（図２）。
【００７６】
ユーザ２は、自分の視野内で観察面１９を見るために、頭部に視覚装置１６を配置することもできる（図３および図５）。
【００７７】
次に、制御ユニット１５は、処理したか否かに拘わらず、トレーサガス濃度の測定値を処理・表示ユニット１７に送信する。処理・表示ユニット１７は、トレーサガス濃度の測定値などの漏洩検知に関する情報項目２１を、拡張現実で観察面１９に数値の形で表示する（図６）。
【００７８】
測定したトレーサガス濃度値、およびユーザ２が行う関連する一連の測定操作を、記録することができる。
【００７９】
前述のように、ユーザ２は、漏洩検知に関する少なくとも１つの情報項目２１を拡張現実で表示する観察面１９の画像の取込を、画像取込装置２２に音声で命じることができる。
【符号の説明】
【００８０】
１                漏洩検知モジュール
２                ユーザ
３                漏洩検知器
４                プローブ
５                音声認識装置
６                検知入口部
７                吸気装置
８                ガス検知器
９                一次真空ポンプ
１０              ターボ分子真空ポンプ
１１              第１の遮断弁
１２ａ、１２ｂ    サンプリングバルブ
１３              第２の遮断弁
１４              導管
１５              制御ユニット
１６              視覚装置
１７              処理・表示ユニット
１８              保持手段
１９              観察面
２１              情報項目
２２              画像取込装置
２６              トレーサガス源
Ａ                被検査物
Ｉ                ヒューマンマシンインターフェース
【図１】
2019200201.tif 000003
【図２】
2019200201.tif 000004
【図３】
2019200201.tif 000005
【図４】
2019200201.tif 000006
【図５】
2019200201.tif 000007
【図６】
2019200201.tif 000008
【外国語明細書】
2019200201000001.pdf